(57)【要約】【課題】電子商取引によって商品またはサービスを販売する店舗の集客力を向上させることができる情報提供装置、情報提供方法、および情報提供プログラムを提供すること。【解決手段】実施形態に係る情報提供装置は、取得部と、生成部と、配信部とを備える。取得部は、電子商取引によって商品またはサービスを販売する店舗を利用するユーザに関する店舗の利用情報を取得する。生成部は、取得部によって取得される利用情報に基づき、ユーザによって閲覧された購入対象が過去に当該ユーザによって利用された店舗によって販売される場合に、利用された店舗から発行されるクーポンが含まれるコンテンツを生成する。配信部は、生成部によって生成されるコンテンツを当該ユーザへ配信する。【選択図】図１
2020013575.tif 000002
【特許請求の範囲】
【請求項１】
電子商取引によって商品またはサービスを販売する店舗を利用するユーザに関する前記店舗の利用情報を取得する取得部と、
前記取得部によって取得される前記利用情報に基づき、前記ユーザによって閲覧された購入対象が過去に当該ユーザによって利用された店舗によって販売される場合に、前記利用された店舗から発行されるクーポンが含まれるコンテンツを生成する生成部と、
前記生成部によって生成される前記コンテンツを当該ユーザへ配信する配信部と
を備えることを特徴とする情報提供装置。
【請求項２】
前記配信部は、
前記ユーザによる購入履歴のある店舗から発行されるクーポンが含まれる前記コンテンツを当該ユーザへ配信する
ことを特徴とする請求項１に記載の情報提供装置。
【請求項３】
前記配信部は、
前記ユーザによってお気に入りに登録された店舗から発行されるクーポンが含まれる前記コンテンツを当該ユーザへ配信する
ことを特徴とする請求項１または請求項２に記載の情報提供装置。
【請求項４】
前記配信部は、
前記ユーザによってお気に入りに登録された購入対象を販売する店舗から発行されるクーポンが含まれる前記コンテンツを当該ユーザへ配信する
ことを特徴とする請求項１〜３のいずれか一つに記載の情報提供装置。
【請求項５】
前記配信部は、
前記ユーザによる購入頻度が高い店舗から発行されるクーポンほど上位に表示される前記コンテンツを当該ユーザへ配信する
ことを特徴とする請求項１〜４のいずれか一つに記載の情報提供装置。
【請求項６】
前記配信部は、
前記ユーザによる購入回数が多い店舗から発行されるクーポンほど上位に表示される前記コンテンツを当該ユーザへ配信する
ことを特徴とする請求項１〜５のいずれか一つに記載の情報提供装置。
【請求項７】
前記配信部は、
前記ユーザによる購入時期が新しい店舗から発行されるクーポンほど上位に表示される前記コンテンツを当該ユーザへ配信する
ことを特徴とする請求項１〜５のいずれか一つに記載の情報提供装置。
【請求項８】
前記配信部は、
前記ユーザによって購入された購入対象の価格帯に応じたクーポンが含まれる前記コンテンツを当該ユーザへ配信する
ことを特徴とする請求項１〜７のいずれか一つに記載の情報提供装置。
【請求項９】
コンピュータが実行する情報提供方法であって、
電子商取引によって商品またはサービスを販売する店舗を利用するユーザに関する前記店舗の利用情報を取得する取得工程と、
前記取得工程によって取得される前記利用情報に基づき、前記ユーザによって閲覧された購入対象が過去に当該ユーザによって利用された店舗によって販売される場合に、前記利用された店舗から発行されるクーポンが含まれるコンテンツを生成する生成工程と、
前記生成工程によって生成される前記コンテンツを当該ユーザへ配信する配信工程と
を含むことを特徴とする情報提供方法。
【請求項１０】
電子商取引によって商品またはサービスを販売する店舗を利用するユーザに関する前記店舗の利用情報を取得する取得手順と、
前記取得手順によって取得される前記利用情報に基づき、前記ユーザによって閲覧された購入対象が過去に当該ユーザによって利用された店舗によって販売される場合に、前記利用された店舗から発行されるクーポンが含まれるコンテンツを生成する生成手順と、
前記生成手順によって生成される前記コンテンツを当該ユーザへ配信する配信手順と
をコンピュータに実行させることを特徴とする情報提供プログラム。
【発明の詳細な説明】
【技術分野】
【０００１】
開示の実施形態は、情報提供装置、情報提供方法、および情報提供プログラムに関する。
【背景技術】
【０００２】
従来、例えば、インターネット等の通信ネットワークを使用した電子商取引によって商品やサービスを販売する店舗がある。店舗を運営する業者は、例えば、インターネット上のショッピングサイトや顧客となるユーザの端末装置にインストールされたショッピング用のアプリケーションプログラムに、販売する商品やサービスの情報を含むコンテンツを投稿してユーザに閲覧させる。
【０００３】
一方、ユーザは、閲覧する複数のコンテンツに含まれる商品やサービスから所望の商品やサービスを選択し、所定の決済処理を行うことにより、商品やサービスを購入することができる。
【０００４】
かかる電子商取引によって商品やサービスを販売する店舗は、ユーザの方から積極的にコンテンツを閲覧してもらえない場合、商品やサービスの売り上げを増大させることが困難である。
【０００５】
このため、例えば、店舗を利用するユーザの位置情報をユーザの端末装置から取得し、ユーザの現在位置の近傍に存在する店舗のクーポンをユーザの端末装置へ配信する情報提供装置がある（例えば、特許文献１参照）。
【先行技術文献】
【特許文献】
【０００６】
【特許文献１】特開２００２−３５１９０５号公報
【発明の概要】
【発明が解決しようとする課題】
【０００７】
しかしながら、従来の情報提供装置は、ユーザの端末装置へクーポンを配信しても、ユーザの現在位置に近いというだけでは、その店舗をユーザに利用してもらえるとは限らないため、店舗の集客力を向上させるという点で改善の余地がある。
【０００８】
実施形態の一態様は、上記に鑑みてなされたものであって、店舗の集客力を向上させることができる情報提供装置、情報提供方法、および情報提供プログラムを提供することを目的とする。
【課題を解決するための手段】
【０００９】
実施形態の一態様に係る情報提供装置は、取得部と、生成部と、配信部とを備える。取得部は、電子商取引によって商品またはサービスを販売する店舗を利用するユーザに関する前記店舗の利用情報を取得する。生成部は、前記取得部によって取得される前記利用情報に基づき、前記ユーザによって閲覧された購入対象が過去に当該ユーザによって利用された店舗によって販売される場合に、前記利用された店舗から発行されるクーポンが含まれるコンテンツを生成する。配信部は、前記生成部によって生成される前記コンテンツを当該ユーザへ配信する。
【発明の効果】
【００１０】
実施形態の一態様に係る情報提供装置、情報提供方法、および情報提供プログラムは、電子商取引によって商品またはサービスを販売する店舗の集客力を向上させることができる。
【図面の簡単な説明】
【００１１】
【図１】図１は、実施形態に係る情報提供装置が行う情報提供方法の概要を示す説明図である。
【図２】図２は、実施形態に係る情報提供装置の構成の一例を示すブロック図である。
【図３】図３は、実施形態に係る利用情報の一例を示す説明図である。
【図４】図４は、実施形態に係る配信ユーザの選択手順の一例を示す説明図である。
【図５】図５は、実施形態に係るクーポンの表示順決定手順の一例を示す説明図である。
【図６】図６は、実施形態に係る情報提供装置の制御部が実行するメイン処理の一例を示すフローチャートである。
【図７】図７は、実施形態に係る情報提供装置の制御部が実行する配信ユーザ選択処理の一例を示すフローチャートである。
【図８】図８は、実施形態に係る情報提供装置の制御部が実行する表示順決定処理の一例を示すフローチャートである。
【図９】図９は、実施形態に係る情報提供装置の機能を実現するコンピュータの一例を示すハードウェア構成図である。
【発明を実施するための形態】
【００１２】
以下に、本願に係る情報提供装置、情報提供方法、および情報提供プログラムを実施するための形態（以下、「実施形態」と記載する）について図面を参照しつつ詳細に説明する。
【００１３】
なお、この実施形態により本願に係る情報提供装置、情報提供方法、および情報提供プログラムが限定されるものではない。また、以下の実施形態において同一の部位には同一の符号を付し、重複する説明は省略される。
【００１４】
〔１．情報提供方法の概要〕
まず、図１を参照し、実施形態に係る情報提供装置１が行う情報提供方法の概要について説明する。図１は、実施形態に係る情報提供装置１が行う情報提供方法の概要を示す説明図である。
【００１５】
ここでは、例えば、インターネット等の通信ネットワークＮ上に開設されるショッピングサイト１１を利用した電子商取引によって商品を販売する店舗を利用するユーザ１３へ、店舗から発行されるクーポンＣｐを閲覧させる情報提供装置１を例に挙げて説明する。ここでのクーポンＣｐは、例えば、ユーザ１３が店舗で使用することにより、商品を割引料金で購入することができるサービス情報である。
【００１６】
なお、実施形態に係る店舗は、顧客となるユーザ１３の端末装置（以下、「ユーザ端末１３ａ」と記載する）にインストールされたショッピング用のアプリケーションプログラムを利用した電子商取引によって商品を販売する店舗であってもよい。また、実施形態に係る店舗は、商品に限らず任意のサービスを販売する店舗であってもよい。
【００１７】
図１に示すように、例えば、ある業者１０は、通信ネットワークＮ上に開設されるショッピングサイト１１にＡストア１２という店舗を出店する（ステップＳ１）。ユーザ１３は、ショッピングサイト１１へアクセスし、Ａストア１２から商品を購入する（ステップＳ２）。
【００１８】
その後、業者１０は、Ａストア１２で利用可能なクーポンＣｐを発行する場合がある。かかる場合、業者１０は、Ａストア１２の店舗装置１０ａによってクーポンＣｐを発行する旨を示す情報を情報提供装置１へ登録する。
【００１９】
情報提供装置１は、かかる情報が登録されると、Ａストア１２から発行されるクーポンＣｐを店舗装置１０ａから取得する（ステップＳ３）。そして、情報提供装置１は、ショッピングサイト１１からＡストア１２の利用情報を取得する（ステップＳ４）。
【００２０】
このとき、情報提供装置１は、Ａストア１２で商品購入に関する積極的な行動を取ったユーザ１３の履歴情報を利用情報として取得する。例えば、情報提供装置１は、Ａストア１２で商品の購入履歴があるユーザ１３を含む全ユーザの利用情報を取得する。
【００２１】
なお、情報提供装置１がショッピングサイト１１を運営している場合には、自装置に蓄積されたショッピングサイト１１へのアクセス情報からＡストア１２の利用情報を取得する。かかる利用情報の一例については、図３を参照して後述する。
【００２２】
そして、情報提供装置１は、取得したＡストア１２の利用情報に基づき、Ａストア１２で購入履歴のあるユーザ１３のユーザ端末１３ａへ、Ａストア１２から発行されるクーポンＣｐを含むクーポン一覧コンテンツＣｐｃを配信する（ステップＳ５）。
【００２３】
このように、情報提供装置１は、Ａストア１２を利用するユーザ１３に関するＡストア１２の利用情報を取得する。そして、情報提供装置１は、取得したＡストア１２の利用情報に基づき、ユーザ１３が購入に関連する行動をとった履歴のあるＡストア１２から発行されるクーポンＣｐが一覧表示されるクーポン一覧コンテンツＣｐｃをユーザ１３へ配信する。
【００２４】
これにより、情報提供装置１は、例えば、過去に商品を購入したことがありユーザ１３にとって馴染みのあるＡストア１２から発行されるクーポンＣｐをユーザ１３へ配信することによって、ユーザ１３にＡストア１２での買い物を促すことができる。したがって、情報提供装置１は、Ａストア１２の集客力を向上させることができる。
【００２５】
〔２．情報提供装置の構成〕
次に、図２を参照し、実施形態に係る情報提供装置１の構成の一例について説明する。図２は、実施形態に係る情報提供装置１の構成の一例を示すブロック図である。図２に示すように、情報提供装置１は、例えば、インターネット等の通信ネットワークＮを介して複数の店舗装置１０ａ、ショッピングサイトサーバ１１ａ、およびユーザ端末１３ａと通信可能に接続され、通信部２と、記憶部３と、制御部４とを備える。
【００２６】
複数の店舗装置１０ａは、それぞれ異なる業者１０がショッピングサイト１１に出店する店舗（例えば、Ａストア１２等）の運営に使用する装置である。ショッピングサイトサーバ１１ａは、ショッピングサイト１１による電子商取引サービスを提供するサーバ装置である。
【００２７】
なお、情報提供装置１がショッピングサイトを１１を運営する場合には、情報提供装置１がショッピングサイトサーバ１１ａとしての機能を担うことになる。ユーザ端末１３ａは、前述したようにユーザ１３が使用する装置であり、例えば、スマートフォン等の携帯端末装置である。
【００２８】
（通信部）
通信部２は、例えば、ＮＩＣ（Network  Interface  Card）等によって実現される。通信部２は、例えば、通信ネットワークＮを介して有線又は無線によって、複数の店舗装置１０ａ、ショッピングサイトサーバ１１ａ、およびユーザ端末１３ａと通信可能に接続される。
【００２９】
（記憶部）
記憶部３は、例えば、ＲＡＭ（Random  Access  Memory)、フラッシュメモリ（Flash  Memory）等の半導体メモリ素子、または、ハードディスク、光ディスク等の記憶装置によって実現される。かかる記憶部３は、利用情報３１およびクーポン情報３２等を記憶する。
【００３０】
利用情報３１は、店舗で商品購入に関する積極的な行動を取ったユーザの履歴情報を含む。記憶部３は、店舗毎に利用情報３１を記憶する。かかる利用情報３１の一例については、図３を参照して後述する。クーポン情報３２は、複数の店舗から発行される複数のクーポンを含む。
【００３１】
（制御部）
制御部４は、例えば、ＣＰＵ（Central  Processing  Unit）、ＲＯＭ（Read  Only  Memory）、ＲＡＭ（Random  Access  Memory）、入出力ポートなどを有するマイクロコンピュータや各種の回路を含む。
【００３２】
制御部４は、ＣＰＵがＲＯＭに記憶された各種プログラム（実施形態に係る情報提供プログラムの一例に相当）を、ＲＡＭを作業領域として使用して実行することにより機能する取得部４１、配信ユーザ選択部４２、表示順決定部４３、および配信部４４を備える。
【００３３】
なお、取得部４１、配信ユーザ選択部４２、表示順決定部４３、および配信部４４は、それぞれ一部または全部がＡＳＩＣ（Application  Specific  Integrated  Circuit）やＦＰＧＡ（Field  Programmable  Gate  Array）等のハードウェアで構成されてもよい。
【００３４】
取得部４１、配信ユーザ選択部４２、表示順決定部４３、および配信部４４は、それぞれ以下に説明する情報処理の作用を実現または実行する。なお、制御部４の内部構成は、図２に示した構成に限られず、後述する情報処理を行う構成であれば他の構成であってもよい。
【００３５】
（取得部）
取得部４１は、店舗装置１０ａから新たにクーポンＣｐを発行することを示す情報の登録を受け付けた場合に、店舗装置１０ａから新たに発行されるクーポンＣｐを取得し、記憶部３に記憶されているクーポン情報３２へ追加する。
【００３６】
さらに、取得部４１は、クーポンＣｐを取得した店舗装置１０ａによって出店される店舗の利用情報をショッピングサイトサーバ１１ａから取得し、記憶部３に記憶されている利用情報３１へ追加する。
【００３７】
ここで、図３を参照し、利用情報３１の一例について説明する。図３は、実施形態に係る利用情報３１の一例を示す説明図である。なお、図３には、ある店舗の利用情報の一部を示している。
【００３８】
図３に示すように、利用情報３１は、店舗を利用したユーザのユーザＩＤ、ユーザがその店舗をお気に入り登録済か否かを示す情報、ユーザによる商品の購入日、購入された商品の商品Ｎｏ．および価格等が対応付けられた情報である。
【００３９】
なお、図３には、一例として、この店舗で過去に購入履歴のある２人のユーザの利用情報を示しているが、利用情報３１には、この店舗で商品の購入はしていなくても、この店舗で商品の購入に関連する行動をとったことがあればユーザの情報が登録される。
【００４０】
例えば、利用情報３１には、この店舗で商品の購入には至らなかったが、この店舗の商品のコンテンツをショッピングサイト１１で閲覧したユーザ、お気に入り商品として登録したユーザ、買い物カゴに入れたが決済処理をしていないユーザ等の情報も登録される。
【００４１】
取得部４１は、新たに取得したクーポンＣｐを記憶部３内のクーポン情報３２に追加し、クーポンＣｐを発行する店舗の利用情報３１を記憶部３内の利用情報３１へ追加した後、その旨を示す情報を配信ユーザ選択部４２へ出力する。
【００４２】
（配信ユーザ選択部）
図２へ戻り、配信ユーザ選択部４２について説明する。配信ユーザ選択部４２は、取得部４１からクーポンＣｐおよび利用情報３１を記憶部３に追加したことを示す情報が入力される場合に、今回発行されたクーポンＣｐの配信対象となる配信ユーザを選択する。
【００４３】
配信ユーザ選択部４２は、今回クーポンＣｐを発行した店舗の利用情報３１に基づき、クーポンＣｐの配信ユーザを選択する。ここで、図４を参照し、配信ユーザの選択手順について説明する。図４は、実施形態に係る配信ユーザの選択手順の一例を示す説明図である。
【００４４】
ここでは、ある店舗の利用情報３１に６人のユーザＹ−１〜Ｙ―６の情報が登録されている場合を例に挙げて説明する。かかる場合、配信ユーザ選択部４２は、まず、図４（ａ）に示すように、利用情報３１に基づき、全ユーザＹ−１〜Ｙ―６のうち、この店舗で購入履歴がないユーザＹ−１をクーポンＣｐの配信ユーザから除外する。
【００４５】
これにより、情報提供装置１は、この店舗から商品を買ったこともなく、仮にクーポンＣｐを配信したとしても、買い物に利用する可能性が低いユーザＹ−１へ無駄にクーポンＣｐの配信を行うことを防止することができる。
【００４６】
その後、配信ユーザ選択部４２は、図４（ｂ）に示すように、この店舗で購入履歴がある５人のユーザＹ−２〜Ｙ―６のうち、購入頻度が所定頻度（例えば、１年に４回）以上のユーザＹ―２をクーポンＣｐの配信ユーザとして選択する。
【００４７】
これにより、情報提供装置１は、頻繁にこの店舗で買い物をするユーザＹ−２へクーポンＣｐを配信することにより、さらに頻繁な買い物をするように促すことができるので、店舗の集客力を向上させることができる。
【００４８】
続いて、配信ユーザ選択部４２は、図４（ｃ）に示すように、この店舗での購入頻度が所定頻度未満の４人のユーザＹ−３〜Ｙ―６のうち、購入回数が所定回数（例えば、２回）以上のユーザをクーポンＣｐの配信ユーザとして選択する。
【００４９】
これにより、情報提供装置１は、この店舗で少なくとも１回はリピータとして商品を購入したユーザＹ−３へクーポンＣｐを配信することにより、さらに多くの回数買い物をするように促すことができるので、店舗の集客力を向上させることができる。
【００５０】
その後、配信ユーザ選択部４２は、図４（ｄ）に示すように、この店舗での購入回数が所定回数未満の３人のユーザＹ―４〜Ｙ−６のうち、最後の購入時期が所定期間（例えば、現時点から６か月）内のユーザＹ−４をクーポンＣｐの配信ユーザとして選択する。
【００５１】
これにより、情報提供装置１は、最後にこの店舗を利用してから長期間が経過しておらず、この店舗を利用したことを覚えている可能性の高いユーザＹ−４へクーポンＣｐを配信して店舗への再来店を促すことにより、店舗の集客力を向上させることができる。
【００５２】
また、情報提供装置１は、最後にこの店舗を利用してから長期間が経過しており、この店舗のことが記憶にないようなユーザへ、いきなりクーポンＣｐを配信することにより、クーポンＣｐが配信されたユーザへ不快感を与えることを防止することができる。
【００５３】
その後、配信ユーザ選択部４２は、図４（ｅ）に示すように、この店舗での最後の購入時期が所定期間外の２人のユーザＹ―５〜Ｙ−６のうち、この店舗をお気に入り店舗登録済のユーザＹ−５をクーポンＣｐの配信ユーザとして選択する。そして、配信ユーザ選択部４２は、この店舗をお気に入り店舗未登録のユーザＹ−６をクーポンＣｐの配信ユーザから除外する。
【００５４】
これにより、情報提供装置１は、この店舗をお気に入り店舗登録している、つまり、この店舗で販売されている商品に興味を持っているユーザＹ―５へクーポンＣｐを配信することで商品の購入を促すことにより、店舗の集客力を向上させることができる。
【００５５】
このように、情報提供装置１は、この店舗での購入履歴があり、且つ、この店舗で再度買い物をしてくれる可能性が高いユーザＹ−２〜Ｙ―５に対して選択的にクーポンＣｐを配信することができるので、店舗の集客力を向上させることができる。そして、配信ユーザ選択部４２は、配信ユーザの選択結果を表示順決定部４３へ出力する。
【００５６】
（表示順決定部）
図２へ戻り、表示順決定部４３について説明する。表示順決定部４３は、配信ユーザ選択部４２によって選択されたユーザへ配信するクーポン一覧コンテンツＣｐｃにおけるクーポンＣｐの配置位置となる表示順を決定する。
【００５７】
配信ユーザ選択部４２によりクーポンＣｐの配信対象として選択されたユーザは、今回クーポンＣｐを発行した店舗以外の他店舗から発行されたクーポンの配信ユーザとして選択されている場合がある。
【００５８】
かかる場合、ユーザに配信されるクーポン一覧コンテンツＣｐｃには、複数の店舗のクーポンが含まれる。そして、例えば、ユーザ端末１３ａにクーポン一覧コンテンツＣｐｃが表示される場合、各クーポンの表示位置は、そのクーポンを発行している店舗の集客力を左右する。
【００５９】
そこで、表示順決定部４３は、ユーザの購買意欲が高まる可能性のあるクーポンをより上位となるように、例えば、ユーザ端末１３ａの表示領域内でより上段に表示されるように表示順を決定する。
【００６０】
ここで、図５を参照し、クーポン一覧コンテンツＣｐｃにおける各クーポンの表示順の決定手順の一例について説明する。図５は、実施形態に係るクーポンの表示順決定手順の一例を示す説明図である。
【００６１】
表示順決定部４３は、配信ユーザとして選択されたユーザ毎に、クーポンＣｐを今回発行した店舗と、そのユーザが既に配信ユーザとして選択されている他の店舗とに対してスコアを付与する。
【００６２】
具体的には、図５の右側中央に示すように、表示順決定部４３は、各店舗について購入頻度に応じたスコア、購入回数に応じたスコア、および購入時期に応じたスコアを付与し、スコアの合計値の高さに応じた表示順を決定する。
【００６３】
このとき、表示順決定部４３は、クーポン一覧コンテンツＣｐｃを配信するユーザによる購入頻度が高い店舗ほど高いスコアを付与し、購入回数が多い店舗ほど高いスコアを付与し、購入時期が新しい店舗ほど高いスコアを付与する。
【００６４】
これにより、表示順決定部４３は、例えば、Ａストア１２のスコアの合計値が最も高い場合、Ａストア１２のクーポンＣｐがユーザ端末１３ａでクーポン一覧コンテンツＣｐｃの最上段に表示されるように表示順位を決定する。
【００６５】
また、表示順決定部４３は、Ｂストアのスコアの合計値が２番目、Ｃストアの合計値が３番目に高い場合、ＢストアのクーポンＣ１ｐがＡストア１２のクーポンＣｐの下に、ＣストアのクーポンＣ２ｐがＢストアのクーポンＣ１ｐの下になるよう表示順を決定する。そして、表示順決定部４３は、決定したクーポンの表示順を配信部４４へ出力する。
【００６６】
（配信部）
図２へ戻り、配信部４４について説明する。配信部４４は、表示順決定部４３からクーポンの表示順が入力される場合に、クーポン情報３２からクーポンを読出し、決定された表示順となる各ユーザ専用にカスタマイズしたクーポン一覧コンテンツＣｐｃを生成してユーザ端末１３ａへ配信する。
【００６７】
これにより、情報提供装置１は、ユーザの購入履歴があり、ユーザがより頻繁に多くの回数購入し、且つ、購入時期が比較的新しい店舗のクーポンが最も目立つ最上段に表示されるクーポン一覧コンテンツＣｐｃをユーザへ提供することができる。したがって、情報提供装置１は、クーポン一覧コンテンツＣｐｃで上位に配置されるクーポンを発行した店舗の集客力を向上させることができる。
【００６８】
〔３．情報提供装置の処理〕
次に、図６〜図８を参照し、実施形態に係る情報提供装置１の制御部４が実行するメイン処理の一例について説明する。図６は、実施形態に係る情報提供装置の制御部が実行するメイン処理の一例を示すフローチャートである。
【００６９】
制御部４は、店舗装置１０ａによってクーポンＣｐが発行される場合に、図８に示すメイン処理を実行する。具体的には、図８に示すように、制御部４は、店舗装置１０ａによってクーポンＣｐが発行されると、まず、店舗装置１０ａからクーポンＣｐを取得する（ステップＳ１０１）。
【００７０】
続いて、制御部４は、ショッピングサイトサーバ１１ａから店舗の利用情報３１を取得し（ステップＳ１０２）、利用情報３１に基づいてクーポンＣｐを配信するユーザを選択する配信ユーザ選択処理を実行する（ステップＳ１０３）。かかる配信ユーザ選択処理の一例については、図７を参照して後述する。
【００７１】
続いて、制御部４は、ステップＳ１０３で選択したユーザ毎に、各ユーザ端末１３ａへ配信するクーポン一覧コンテンツＣｐｃに配置するクーポンＣｐの順位（表示画面中の表示上下位置）を決定する表示順決定処理を実行する（ステップＳ１０４）。かかる表示順決定処理の一例については、図８を参照して後述する。
【００７２】
そして、制御部４は、ステップＳ１０４で決定した配置の順位となるように複数のクーポンＣｐが一覧表示されるクーポン一覧コンテンツＣｐｃを生成してユーザ端末１３ａへ配信し（ステップＳ１０５）、処理を終了する。
【００７３】
次に、図７を参照し、制御部４が実行する配信ユーザ選択処理の一例について説明する。図７は、実施形態に係る情報提供装置の制御部が実行する配信ユーザ選択処理の一例を示すフローチャートである。
【００７４】
図７に示すように、制御部４は、配信ユーザ選択処理を開始すると、まず、クーポンＣｐを発行した店舗装置１０ａを運用する店舗（以下、単に「店舗」と記載する）を利用したユーザのうち、購入履歴があるユーザを選択する（ステップＳ２０１）。
【００７５】
続いて、制御部４は、ステップＳ２０１で選択した各ユーザについて、店舗での購入頻度が所定頻度以上か否かを判定する（ステップＳ２０２）。そして、制御部４は、購入頻度が所定頻度以上でないと判定した場合（ステップＳ２０２，Ｎｏ）、店舗での購入回数が所定回数以上か否かを判定する（ステップＳ２０３）。
【００７６】
そして、制御部４は、購入回数が所定回数以上でないと判定した場合（ステップＳ２０３，Ｎｏ）、店舗での購入時期が所定期間内か否かを判定する（ステップＳ２０４）。ここでは、制御部４は、ユーザが店舗で最後に商品を購入した時期から現時点までの時間が所定時間以内である場合に、購入時期が所定期間内であると判定する。
【００７７】
そして、制御部４は、購入時期が所定期間内でないと判定した場合（ステップＳ２０４，Ｎｏ）、今回クーポンＣｐを発行した店舗をユーザがお気に入り店舗登録済か否かを判定する（ステップＳ２０５）。
【００７８】
そして、制御部４は、お気に入り店舗登録済でないと判定した場合（ステップＳ２０５，Ｎｏ）、そのユーザをクーポンＣｐの配信対象となる配信ユーザから除外し（ステップＳ２０７）、処理を終了する。
【００７９】
また、制御部４は、購入頻度が所定頻度以上であると判定した場合（ステップＳ２０２，Ｙｅｓ）、または、購入回数が所定回数以上であると判定した場合（ステップＳ２０３、Ｙｅｓ）、そのユーザを配信ユーザとして選択する（ステップＳ２０６）。
【００８０】
また、制御部４は、購入時期が所定期間内であると判定した場合（ステップＳ２０４，Ｙｅｓ）、または、お気に入り店舗登録済であると判定した場合（ステップＳ２０５，Ｙｅｓ）にも、そのユーザを配信ユーザとして選択する（ステップＳ２０６）。
【００８１】
制御部４は、こうして配信ユーザを決定した後に、配信ユーザ選択処理を終了して、図６に示す表示順決定処理（ステップＳ１０４）へ処理を移す。次に、図８を参照し、制御部４が実行する表示順決定処理の一例について説明する。
【００８２】
図８は、実施形態に係る情報提供装置の制御部が実行する表示順決定処理の一例を示すフローチャートである。制御部４は、図８に示す表示順決定処理を実行することにより、今回の配信ユーザ選択処理で選択されたユーザ毎に、クーポンＣｐを今回発行した店舗と、そのユーザが既に配信ユーザとして選択されている他の店舗とに対してスコアを付与する。
【００８３】
具体的には、図８に示すように、制御部４は、ユーザの購入頻度に応じたスコアを店舗に付与する（ステップＳ３０１）。このとき、制御部４は、購入頻度が高い店舗ほど高いスコアを付与する。
【００８４】
続いて、制御部４は、ユーザの購入回数に応じたスコアを店舗に付与する（ステップＳ３０２）。このとき、制御部４は、購入回数が多い店舗ほど高いスコアを付与する。その後、制御部４は、ユーザの購入時期に応じたスコアを店舗に付与する（ステップＳ３０３）。
【００８５】
このとき、制御部４は、購入時期が新しい店舗ほど高いスコアを付与する。そして、制御部４は、スコアが高い店舗のクーポンＣｐほど上位に配置する（ステップＳ３０４）。例えば、制御部４は、スコアが高い店舗のクーポンＣｐほどユーザ端末１３ａの表示領域内で上段に表示されるように表示順を決定する。
【００８６】
制御部４は、こうしてクーポン一覧コンテンツＣｐｃにおける各クーポンＣｐの表示順を決定し、表示順決定処理を終了した後に、図６に示すクーポン一覧コンテンツ配信（ステップＳ１０５）を行い、メイン処理を終了する。
【００８７】
〔４．変形例〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００８８】
上述した実施形態では、情報提供装置１は、ユーザの購入履歴がある店舗のクーポンのみを、そのユーザへ配信したが、例えば、購入履歴がない店舗のクーポンを、そのユーザへ配信することもできる。
【００８９】
例えば、情報提供装置１は、ある商品を購入するまでに至っていないが、その商品に興味をもち、お気に入りに登録していた場合、商品がお気に入りに登録された店舗のクーポンを、そのユーザへ配信する。
【００９０】
また、例えば、情報提供装置１は、ある商品を購入するまでに至っていないが、その商品をショッピングサイトで買い物カゴへいれた場合に、商品が買い物カゴに入れられた店舗のクーポンを、そのユーザへ配信する。
【００９１】
また、例えば、情報提供装置１は、ある店舗での購入履歴はいないが、ユーザがその店舗をお気に入り店舗登録した場合に、お気に入り店舗登録された店舗のクーポンを、そのユーザへ配信する。
【００９２】
これにより、情報提供装置１は、例えば、商品の購入履歴が少ないユーザに対しても、利用してもらえる可能性が高いクーポンを配信することにより、クーポンを配信する店舗の集客力を向上させることができる。
【００９３】
また、情報提供装置１は、例えば、図５に示すＢストアのクーポンＣ１ｐのような購入金額限定のクーポンを配信する場合、クーポンを発行する店舗で過去にユーザによって購入された購入対象の価格帯に応じたクーポンを含むコンテンツをユーザへ配信する。これにより、情報提供装置１は、ユーザが利用する可能性の高い価格帯に関連するクーポンを配信することにより、クーポンを発行する店舗の集客力を向上させることができる。
【００９４】
また、情報提供装置１は、ユーザ端末１３ａからユーザ１３が閲覧中の任意の店舗の商品に関する情報を取得し、さらに、ユーザ１３の購入履歴がある店舗で販売されている全商品に関する情報を取得する構成であってもよい。
【００９５】
かかる構成の場合、情報提供装置１は、ユーザによって閲覧されている購入対象が過去にユーザによって利用された店舗によって販売されている場合に、ユーザによって過去に利用された店舗から発行されるクーポンが含まれるコンテンツをユーザへ配信する。
【００９６】
これにより、情報提供装置１は、例えば、ユーザが利用経験のない店舗である商品に興味をもった場合に、以前に利用経験がある馴染みの店舗から発行される同じ商品のクーポンを配信することにより、利用経験がある店舗の集客力を向上させることができる。
【００９７】
〔５．効果〕
上述したように、実施形態に係る情報提供装置１は、取得部４１と、配信部４４とを備える。取得部４１は、電子商取引によって商品またはサービスを販売する店舗（例えば、Ａストア１２）を利用するユーザ（例えば、ユーザ１３）に関する店舗の利用情報３１を取得する。
【００９８】
配信部４４は、取得部４１によって取得される利用情報３１に基づき、ユーザが購買に関連する行動をとった履歴のある店舗から発行されるクーポン（例えば、クーポンＣｐ）が一覧表示されるコンテンツ（例えば、クーポン一覧コンテンツＣｐｃ）をユーザ１３へ配信する。
【００９９】
これにより、情報提供装置１は、単純に発行された順でクーポンが一覧表示されるコンテンツを配信する場合に比べて、ユーザに利用される可能性が高いクーポンが一覧表示されるコンテンツをユーザへ配信することができる。したがって、情報提供装置１は、クーポンを発行する店舗の集客力を向上させることができる。
【０１００】
また、配信部４４は、ユーザによる購入履歴のある店舗から発行されるクーポンが含まれるコンテンツをユーザへ配信する。これにより、情報提供装置１は、ユーザが実際に商品を購入したことがある馴染みの店舗から発行されるクーポンをユーザへ配信することにより、クーポンを発行する店舗の集客力を向上させることができる。
【０１０１】
また、配信部４４は、ユーザによってお気に入りに登録された店舗から発行されるクーポンが含まれるコンテンツをユーザへ配信する。これにより、情報提供装置１は、ユーザが好意を示して積極的にお気に入りに登録した店舗のクーポンをユーザへ配信することにより、クーポンを発行する店舗の集客力を向上させることができる。
【０１０２】
また、配信部４４は、ユーザによってお気に入りに登録された購入対象を販売する店舗から発行されるクーポンが含まれるコンテンツをユーザへ配信する。これにより、情報提供装置１は、ユーザが購入まではしていないが行為を持ってお気に入りに登録した購入対象を販売する店舗のクーポンをユーザへ配信することにより、クーポンを発行する店舗の集客力を向上させることができる。
【０１０３】
また、配信部４４は、ユーザによる購入頻度が高い店舗から発行されるクーポンほど上位に表示されるコンテンツをユーザへ配信する。これにより、情報提供装置１は、ユーザが頻繁に利用する店舗のクーポンをユーザへ配信することにより、クーポンを発行する店舗の集客力を向上させることができる。
【０１０４】
また、配信部４４は、ユーザによる購入回数が多い店舗から発行されるクーポンほど上位に表示されるコンテンツをユーザへ配信する。これにより、情報提供装置１は、ユーザがリピータとなっている店舗のクーポンをユーザへ配信することにより、クーポンを発行する店舗の集客力を向上させることができる。
【０１０５】
また、配信部４４は、ユーザによる購入時期が新しい店舗から発行されるクーポンほど上位に表示されるコンテンツをユーザへ配信する。これにより、情報提供装置１は、ユーザにとって比較的記憶に新しい店舗のクーポンをユーザへ配信することにより、クーポンを発行する店舗の集客力を向上させることができる。
【０１０６】
また、配信部４４は、ユーザによって閲覧された購入対象が過去にユーザによって利用された店舗によって販売される場合に、利用された店舗から発行されるクーポンが含まれるコンテンツをユーザへ配信する。
【０１０７】
これにより、情報提供装置１は、例えば、ユーザが利用経験のない店舗である商品に興味をもった場合に、以前に利用経験がある馴染みの店舗から発行される同じ商品のクーポンを配信することにより、利用経験がある店舗の集客力を向上させることができる。
【０１０８】
また、配信部４４は、ユーザによって購入された購入対象の価格帯に応じたクーポンが含まれるコンテンツをユーザへ配信する。これにより、情報提供装置１は、ユーザが利用する可能性の高い価格帯に関連するクーポンを配信することにより、クーポンを発行する店舗の集客力を向上させることができる。
【０１０９】
〔６．ハードウェア構成〕
また、上述してきた実施形態に係る情報提供装置１は、例えば図９に示すような構成のコンピュータ１０００によって実現される。図９は、実施形態に係る情報提供装置１の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１１０】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１１１】
ＨＤＤ１４００は、ＣＰＵ１１００によって実行されるプログラム、及び、かかるプログラムによって使用されるデータ等を格納する。通信インターフェイス１５００は、インターネット等の通信ネットワークＮを介して他の機器からデータを受信してＣＰＵ１１００へ送り、ＣＰＵ１１００が生成したデータを通信ネットワークＮを介して他の機器へ送信する。
【０１１２】
ＣＰＵ１１００は、入出力インターフェイス１６００を介して、ディスプレイ、プリンタ等の出力装置、キーボード、マウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１１３】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１１４】
例えば、コンピュータ１０００が実施形態に係る情報提供装置１として機能する場合、コンピュータ１０００のＣＰＵ１１００は、ＲＡＭ１２００上にロードされた情報提供プログラムを実行することにより、制御部４の機能を実現する。コンピュータ１０００のＣＰＵ１１００は、これらのプログラムを記録媒体１８００から読み取って実行するが、他の例として、他の装置から通信ネットワークＮを介してこれらのプログラムを取得してもよい。
【０１１５】
〔７．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１１６】
この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１８】
例えば、取得部４１、配信ユーザ選択部４２、表示順決定部４３、および配信部４４を情報提供装置１の外部装置としてネットワーク経由で接続するようにしてもよい。また、取得部４１、配信ユーザ選択部４２、表示順決定部４３、および配信部４４を別の装置がそれぞれ有し、ネットワーク接続されて協働することで、上記の情報提供装置１の機能を実現するようにしてもよい。
【０１１９】
すなわち、情報提供装置１は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１２０】
また、上述してきた実施形態及び変形例は、処理内容を矛盾させない範囲で適宜組み合わせることが可能である。また、上述してきた「部（section、module、unit）」は、「手段」や「回路」などに読み替えることができる。例えば、取得部４１は、取得手段や取得回路に読み替えることができる。
【符号の説明】
【０１２１】
１  情報提供装置
２  通信部
３  記憶部
３１  利用情報
３２  クーポン情報
４  制御部
４１  取得部
４２  配信ユーザ選択部
４３  表示順決定部
４４  配信部
１０  業者
１０ａ  店舗装置
１１  ショッピングサイト
１１ａ  ショッピングサイトサーバ
１２  Ａストア
１３  ユーザ
１３ａ  ユーザ端末
【図１】
2020013575.tif 000003
【図２】
2020013575.tif 000004
【図３】
2020013575.tif 000005
【図４】
2020013575.tif 000006
【図５】
2020013575.tif 000007
【図６】
2020013575.tif 000008
【図７】
2020013575.tif 000009
【図８】
2020013575.tif 000010
【図９】
2020013575.tif 000011